(57)【要約】【課題】ゴミ収集場所ではゴミ袋を置いた上にネットやシートを被せたのは、その隙間からカラス、猫などが入り完全にゴミ散乱を防ぐことが出来ず、街の美化や衛生を損なっているのが実情である、又ゴミ投入時やゴミ収集時に、ネットやシートの被せや、取り外しがスムーズにいかない事が多いのでそれを解決することを目的とする。【解決手段】数本のコノ字型のパイプにネットを全体にかぶせ結びつけ、パイプの端を左右とも要元締めし、固定器具にまとめ、扇形回転するようにし、地面に設置することで安定、安全性を持たせた装置で、二本のパイプ間で分けたネットをごみ挿入口にしている。使用後は手前のパイプを持ち上げ奥へ押し込んでいけば直立状態になり収納出来る。【選択図】図１
2011140393.tif 000002
【特許請求の範囲】
【請求項１】
数本のコの字型に加工した複数の各パイプにネットを全体にかぶせて取付け、パイプの根元は各々固定具又はリングを設け、リングの中心に１本のピンを通してまとめて要元締めした固定器具を左右対称に設けたものをくるいが出ないように固定板に取り付け、地面に設置でき、全パイプを直立の収納状態から、外側パイプより順番に前面部へ９０度以上倒すことが出来る機能を持たせた集積ゴミ散乱防止装置。
【請求項２】
ゴミ袋を入れやすく又その範囲を限定する為に、ネットを上下二つに区切って、挿入口を設けた請求項１記載の集積ゴミ散乱防止装置。
【請求項３】
使用後外枠パイプを立てて行くだけで、半自動で直立収納出来る機能を設け、全てが収納すれば前後にも倒れないための安全装置を設けた請求項１及び請求項２記載の集積ゴミ散乱防止装置。
【発明の詳細な説明】
【技術分野】
【０００１】本発明は、道路わきや広場の片隅に設置された食品廃棄物の置き場などに設置される集積ゴミ散乱防止装置に関するものである
【背景技術】
【０００２】従来ゴミ収集場では、置かれたゴミ袋にネットやシートを直接被せたり、コンクリート枠のある所は棒又はパイプを橋渡しした上にネットを置き、カラスや猫等がゴミを食い荒らさないようにしている、又金網などで全面固定して取り出し口に鍵を掛け、関係者だけか出入りできない強固なものも数種知られている。
【特許文献１】特許公開番号：２００３−１１８８０１
【特許文献２】登録実用新案：第３０９８９６５号
【特許文献３】登録実用新案：第３０８５１３２号
【特許文献４】登録実用新案：第３０９６５９５号
【特許文献５】特許公開番号：２００５−０６５６７７
【特許文献６】特許公開番号：２００５−２０７０２６
【特許文献７】特許公開番号：２００５−２４７５７８
【発明の開示】
【発明が解決しようとする課題】
【０００３】一般に、ゴミ袋を置いた上にネットやシートを被せたのは隙間からカラス、猫等が入り完全にゴミの散乱を防ぐことができず、町の美化や衛生を損なっているのが実情である、又ゴミ投入時およびゴミ収集時に、ネットやシートの被せや取り外しに手間がかかりスムーズにいかないことが多い。
【課題を解決するための手段】
【０００４】上記問題点を解決するための本発明は、数本のコの字型に加工した複数の各パイプに、ネットを全体にかぶせて結びつけて取付け、パイプの根元は、一番内側は固定器具にその他はリングを取り付けて、その中心を１本のピンで要元締めした固定器具を左右に設けて、パイプの両端が同時に前後へ扇形回転する様にし、左右の固定器具が、狂いが生じないように固定板に取り付け、それを地面に設置することで、パイプ及びネットが作動しても安定、安全性を損なわないものとしたものである。
収納時である全パイプ直立状態では、前後左右にて倒れないように止め装置を設けており、使用時には外側パイプを前面へ地面まで前倒しすることによって、全体を一気に設置出来るものである、
ゴミ袋を入れる時はあらかじめ設定された、ネットを二本のパイプを境にして上下二つに区切っている部分の、開閉止め金具を設けている挿入口をあければよい。
【発明の効果】
【０００５】従来のものより設置が簡単で操作もし易く、カラス・猫等動物によるゴミ散乱防止にも適しでおり、ゴミ投入及び回収作業もスムーズに出来るとともにスペースを限定しているため、町の美化に大いに貢献するものである。
【発明を実施するための最良の形態】
【０００６】以下、本発明の実施の形態を説明する。
（イ）同一面上に並べると、順次内側へと小さくなる様に組まれ、コノ字型に加工した数本のパイプ（１，２、３，４，５）に、ネット（９）をかぶせて開くと扇形になる様に取り付けたものを本体として設け、地面に接する外側のパイプ（５）には当たり止め（６）と持ち上げハンドル（８）を設け、ゴミ挿入口用として開閉するパイプ（３）には当たり止め兼ハンドル（７）を設ける。
（ロ）（Ａ部）で示すパイプの根元には、同一内径を持つリング（１７，１８，１９，２０）に取り付け、頭（２２）のある１本のピン（２１）で要元締めされて、パイプの根元が一直線上で扇形稼働出来るパイプ固定器具（Ａ部）を左右対称に設ける。一番内側のパイプ（１）は固定器具（１６）に固定されている、パイプ（５）を前面に倒してネットを設置していく時点で、各パイプの倒れ角度を決めるストッパー（１４）（１５）を設けている、又パイプが直立時に必要な安全ストッパーを背面用（２５）と前面用としてパイプ倒れ止め可動棒（２３）を設け、ピン（３０）を支点として固定器具の一部（２７）に取り付け、ロックダボ（２９）にて作動を制限している。
（ハ）左右に設けられたパイプ固定器具は安全性と安定性が必要な為、くるいが生じないように固定板（１１）にまとめ、１枚のベース基盤（１０）に取り付け、地面に設置するように設けている。ボルト（２８）、（１２）は其々の固定版、ベース基盤を止めている。
（ニ）パイプ固定器具とは、Ａ部で示した箇所の内、固定板（１１）にまとめられた（２４，２５，２６，２７，１６）を一体となす止め金具と（１４，１５）を一体となすストッパーとを総合したもので、パイプ用リング（１７，１８，１９，２０）は要ピン（２１）で組み込まれており、パイプ倒れ止め可動棒（２３）と共に、一つのユニットとして左右対称を一対で使用する。
本発明は以上のような構造である。
本発明を使用するときは、直立して収納されている本体とネットのパイプ倒れ止め可動棒（２３）を左右ともパイプ（１）に沿って上向きに立て、パイプ（５）のハンドル（８）を持ち前面に倒していき、最後は地面まで着ける、
その間にパイプ（２）は止め金具（１５）に当たり、パイプ（３，４）は止め金具（１４）に当たりそれ以上に下へは下がらず、パイプ（１，２，３）は背面も入れて同一ネットで覆われており、パイプ（４，５）は別のネットで根元まで覆われているので、全面はわずかな隙もなく鳥や犬猫などは中へは入れない、
パイプ（３）とパイプ（４）とはネットでは繋がっていないが、同一止め金具（１４）で止まり、その隙間は最小限にして当たり止め兼ハンドル（７）で中間部を止めているので、全てネットで覆われている範囲限定された集積ゴミ捨て場が完成する。
ゴミを捨てる時はハンドル（７）を持ちパイプ（３）を持ち上げて挿入口を開閉すればよい。
ゴミ収集後はハンドル（８）を持ち上げパイプ（５）を押し上げていくと、当たり止め（６）が順番に他のパイプとネットを後ろ側へ押しやり、全て直立状態になり、後部当たり止め（２５）で全て止まる、そこでパイプ倒れ止め可動棒（２３）を左右とも９０度倒すと前にも後ろにも倒れない状態で安全に収納され終了する。
【図面の簡単な説明】
【０００７】
【図１】本発明の使用時の斜視図
【図２】本発明の収納時の前面図
【図３】Ａ部の拡大斜視図
【図４】Ａ部の拡大上面図
【符号の説明】
【０００８】（１）  ネット取付用コノ字型内側パイプ
（２）  ネット取付用コノ字型中間パイプ
（３）  ネット取付用コノ字型中間パイプ
（４）  ネット取付用コノ字型中間パイプ
（５）  ネット取付用コノ字型外側パイプ
（６）  当たり止め
（７）  挿入口ハンドル
（８）  持ち上げハンドル
（９）  ネット
（１０）ベース基盤
（１１）固定版
（１２）ベース基盤取付ボルト
（１４）パイプ（３，４）の前倒れストッパー
（１５）パイプ（２）の前倒れストッパー
（１６）パイプ固定器具の主金具
（１７）パイプ取付リング
（１８）パイプ取付リング
（１９）パイプ取付リング
（２０）パイプ取付リング
（２１）取付リング用要元締めピン
（２２）ピン頭
（２３）パイプ倒れ止め可動棒
（２４）パイプ固定器具の主金具
（２５）パイプ固定器具の背面当たり止め部
（２６）パイプ固定器具のガイド部
（２７）パイプ固定器具の前面可動棒軸受け
（２８）パイプ固定器具の固定版止めボルト
（２９）可動棒軸ピン頭
（３０）可動棒軸ピン
（３１）可動棒止めダボ
【図１】
2011140393.tif 000003
【図２】
2011140393.tif 000004
【図３】
2011140393.tif 000005
【図４】
2011140393.tif 000006